(57)【要約】      （修正有）【課題】石突が地面等の接触面に接触した状態において杖本体部の傾きやすさを調整することができる石突及び杖を提供する。【解決手段】杖は、杖本体部２０と石突１００とを有し、石突１００は、杖本体部２０に装着される装着部材１１０と、接触面する接触部１３０と、接触面接触部１３０が接触する際の衝撃を吸収するとともに、装着部材１１０接触部１３０に対して傾くことができるように装着部材１１０と接触部１３０とを連結する連結機構２００とを有し、連結機構２００は、接触部１３０に対する装着部材１１０の傾きやすさを調整する調整機構２５０を有する。【選択図】図２
2015089464.tif 000002
【特許請求の範囲】
【請求項１】
杖本体部に装着される装着部と、
接触面に接触する接触部と、
接触面に前記接触部が接触する際の衝撃を吸収するとともに、前記装着部が前記接触部に対して傾くことができるように前記装着部と前記接触部とを連結する連結機構と、
を有し、
前記連結機構は、前記接触部に対する前記装着部の傾きやすさを調整する調整機構を有する石突。
【請求項２】
前記連結機構は、
前記装着部が前記接触部へと接近する方向に弾性変形可能なコイルスプリングと、
前記コイルスプリングの内側に配置されたゴム部材と、
を有する請求項１記載の石突。
【請求項３】
前記装着部は、少なくとも前記接触部側が弾性体からなり、前記接触部に向けて移動し前記接触部に接触した際に弾性変形するように切込が形成されている請求項１又は２記載の石突。
【請求項４】
前記装着部は、前記杖本体に対しして着脱可能である請求項１乃至３いずれか記載の石突。
【請求項５】
杖本体部と、
前記杖本体部に装着される装着部と、
接触面に接触する接触部と、
接触面に前記接触部が接触する際の衝撃を吸収するとともに、前記装着部が前記接触部に対して傾くことができるように前記装着部と前記接触部とを連結する連結機構と、
を有し、
前記連結機構は、前記接触部に対する前記装着部の傾きやすさを調整する調整機構を有する杖。
【発明の詳細な説明】
【技術分野】
【０００１】
本発明は、石突及び杖に関する。
【背景技術】
【０００２】
特許文献１には、上端部に取っ手を設けた円筒状のステッキ本体と、下部を前記ステッキ本体の下端から突出させた状態で前記ステッキ本体の下部に内蔵されたクッションユニットと、前記クッションユニットの下端部に設けられた石突と、を備え、前記クッションユニットは、前記ステッキ本体の内周面に固定された内部パイプと、前記内部パイプに収容された受け部材と、下端部に前記石突が設けられ、前記ステッキ本体にスライド自在に装着した可動シャフトと、前記受け部材と前記可動シャフトとの間に介設したコイルバネと、を有し、前記受け部材は、前記内部パイプと共に外側から一体的にかしめられて前記内部パイプに固定されていることを特徴とするステッキが記載されている。
【０００３】
特許文献２には、杆状のステッキ本体に把持部を配設してなるステッキにおいて、ステッキ本体は、外筒と中筒を入れ子状に嵌合してなるテレスコピック式の伸縮管を備えており、前記伸縮管の内部には、伸縮管を伸長方向に付勢する圧縮ばねと、外筒と中筒の相対摺動を減衰させる速度依存性のダンパーとが並列に接続されていることを特徴とするステッキが記載されている。
【０００４】
特許文献３には、シャフトの石突きの上方にリングを備えたスキーポールにおいて、このリングに衝撃吸収手段を設けたことを特徴とするスキーポールが記載されている。
【先行技術文献】
【特許文献】
【０００５】
【特許文献１】特開２００７−２８２９８６号公報
【特許文献２】特開２０１１−５６１５９号公報
【特許文献３】特開平７−３２８１７６号公報
【発明の概要】
【発明が解決しようとする課題】
【０００６】
従来の石突及び杖においては、石突が地面等の接触面に接触した状態において杖本体部の傾きやすさを調整することができなかった。
【０００７】
本発明は、石突が地面等の接触面に接触した状態において杖本体部の傾きやすさを調整することができる石突及び杖を提供することを目的とする。
【課題を解決するための手段】
【０００８】
請求項１に係る本発明は、杖本体部に装着される装着部と、接触面に接触する接触部と、接触面に前記接触部が接触する際の衝撃を吸収するとともに、前記装着部が前記接触部に対して傾くことができるように前記装着部と前記接触部とを連結する連結機構と、
を有し、前記連結機構は、前記接触部に対する前記装着部の傾きやすさを調整する調整機構を有する石突である。
【０００９】
請求項２に係る本発明は、前記連結機構は、前記装着部が前記接触部へと接近する方向に弾性変形可能なコイルスプリングと、前記コイルスプリングの内側に配置されたゴム部材と、を有する請求項１記載の石突である。
【００１０】
請求項３に係る本発明は、前記装着部は、少なくとも前記接触部側が弾性体からなり、前記接触部に向けて移動し前記接触部に接触した際に弾性変形するように切込が形成されている請求項１又は２記載の石突である。
【００１１】
請求項４に係る本発明は、前記装着部は、前記杖本体に対しして着脱可能である請求項１乃至３いずれか記載の石突である。
【００１２】
請求項５に係る本発明は、杖本体部と、前記杖本体部に装着される装着部と、接触面に接触する接触部と、接触面に前記接触部が接触する際の衝撃を吸収するとともに、前記装着部が前記接触部に対して傾くことができるように前記装着部と前記接触部とを連結する連結機構と、を有し、前記連結機構は、前記接触部に対する前記装着部の傾きやすさを調整する調整機構を有する杖である。
【発明の効果】
【００１３】
請求項１に係る本発明によれば、石突が地面等の接触面に接触した状態において杖本体部の傾きやすさを調整することができる石突及び杖を提供することができる。
【００１４】
請求項２に係る本発明によれば、コイルスプリングの巻線における互いに隣接した部分が衝突することによる衝撃を抑制することができる石突を提供することができる。
【００１５】
請求項３に係る本発明によれば、本構成を有しない場合と比較して小型化することができる石突を提供することができる。
【００１６】
請求項４に係る本発明によれば、杖本体部を再利用しつつ交換することができる石突を提供することができる。
【００１７】
請求項５に係る本発明によれば、石突が地面等の接触面に接触した状態において杖本体部の傾きやすさを調整することができる石突及び杖を提供することができる。
【図面の簡単な説明】
【００１８】
【図１】本発明の実施形態に係る杖を示す図である。
【図２】本発明の実施形態に係る石突を示す図である。
【図３】図２に示す石突が有する装着部材を示す図である。
【図４】図２に示す石突が衝撃を吸収している状態を示す図である。
【図５】図２に示す石突の接触部に対して装着部が傾いた状態を示す図である。
【図６】図２に示す石突の調整機構の動作を説明する図である。
【図７】図２に示す石突の変形例を示す図である。
【発明を実施するための形態】
【００１９】
次に本発明の実施形態を図面に基づいて説明する。
図１には、本発明の実施形態に係る杖１０が示されている。図１に示すように、杖１０は杖本体部２０と石突１００とを有する。
【００２０】
杖本体部２０は、例えば略円柱形状からなる１本の棒状部材２２からなり、棒状部材２２の一端部に把持部２４が装着されている。棒状部材２２は、長さを調整することができるようにしても良いし、折り畳みができるようにしても良い。また、棒状部材２２に把持部２４を装着することに替えて又は把持部２４を装着することと併せて、杖１０を利用者の前腕部等に装着するための装着部（不図示）を設けても良い。
【００２１】
また、杖本体部２０として１本の棒状部材２２を用いることに替えて、例えば松葉杖（腋窩支持クラッチ）のように複数の部材を組み合わせて杖本体部２０としても良い。この場合であっても、例えば把持部２４が装着されている側と逆側の端部を棒状とする等、石突１００を装着することができるようにすることを要する。
【００２２】
石突１００は、杖本体部２０に対して着脱することができるようになっている。また、石突１００は、底面１０２を有し、底面１０２が例えば屋外における道路や屋内における廊下等の接触面９００に接触した状態で用いられる。
【００２３】
杖１０は、例えば図１に矢印ａで示すように移動することで、底面１０２が接触面９００に接触した際の衝撃を吸収することができるようになっている。また、杖１０は底面１０２が接触面９００に接触した状態を保ちつつ、図１に矢印ｂで示すように杖本体部２０を傾けることができるようになっている。
【００２４】
図２には、石突１００が示されている。図２に示すように、石突１００は装着部として用いられている装着部材１１０と接触面９００（図１を参照）に接触する接触部１３０とを有する。また、石突１００は、装着部材１１０と接触部１３０と連結する連結機構２００を有する。
【００２５】
装着部材１１０は、例えば樹脂等からなり、上端部から下端部に向けて貫くように貫通穴１１２が形成された筒状の部材である。また、装着部材１１０は、例えば上端部から略中央部側に向けて外径が次第に小さくなり、略中央部から下端部においては外径が一定となっている。貫通穴１１２は、位置によって径が異なっていて、それぞれに径が異なる上端部側に位置する装着位置１１４と、下端部側に位置していて後述するコイルスプリング２２０等が挿入されるか挿入位置１１６と、装着位置１１４と挿入位置１１６と連通させるように形成された連通位置１１８とを有する。
【００２６】
また、装着部材１１０は、装着位置１１４に対して棒状部材２２が嵌め込まれるようにし杖本体部２０に対して装着されている。また、装着部材１１０は、棒状部材２２を装着位置１１４から引き抜くようにして杖本体部２０から取り外すことができる。装着部材１１０を杖本体部２０から取り外すことによって、石突１００全体が杖本体部２０から取り外されることになる。
【００２７】
接触部１３０は、接触部１３０の本体をなす本体部材１３２と、後述する軸部材２１０を支持するために用いられる支持部材１３６と、本体部材１３２に対して支持部材１３６を固定するための固定部材１３８とを有する。支持部材１３６は、例えば金属等からなるフランジを備えた筒状の部材であり、筒状の部分の内径部には後述する軸部材２１０を固定するために用いられる雌ねじが形成されている。
【００２８】
本体部材１３２は、外側の面が例えば内側に凹むようななだらかなテーパー形状からなり、中央部には上端部から下端部に貫くように貫通穴１３４が形成されていて、貫通穴１３４に下側から嵌め込むようにして本体部材１３２に対して支持部材１３６が装着されている。そして、支持部材１３６のフランジ部分を重力方向における下側から支えるように、本体部材１３２に対して固定部材１３８が嵌め込まれている。尚、本体部材１３２と固定部材１３８とを別部材とすることに替えて、本体部材１３２と固定部材１３８と一体とし、１つの部材としても良い。本体部材１３２と固定部材１３８とを１つの部材とする場合、この部材は、例えば射出成形等を用いて製造することができる。
【００２９】
本体部材１３２の下側の面及び固定部材１３８の下側の面が、接触面９００（図１を参照）に接触する底面１０２として用いられている。本体部材１３２の下側の面及び固定部材１３８の下側の面の少なくともいずれか一方に、本体部材１３２及び固定部材１３８が接触面に９００に対して滑りにくくするための溝を形成することが望ましい。この溝は、複数を形成することが望ましく、例えば同心円上に位置するように複数を形成しても良いし、放射状に配置されるように複数を形成しても良い。
【００３０】
また、本体部材１３２の下側の面及び固定部材１３８の下側の面の少なくともいずれか一方に、例えば金属等からなる突起を設けても良い。このような突起は、例えば同心円上に複数個を配置することができる。このような突起を設ければ、例えば接触面９００が凍結した道路等であっても、接触面９００に対して本体部材１３２及び固定部材１３８が滑りにくくなる。
【００３１】
また、本体部材１３２の外側の部分の少なくとも一部分を光が照射されることで発光する部材等の暗視可能な材料で形成しても良い。また、本体部材１３２の外側の面の少なくとも一部に暗視可能な部材を装着しても良い。
【００３２】
連結機構２００は、接触面９００に接触部１３０が接触する際の衝撃を吸収するとともに、装着部材１１０が接触部１３０に対して傾くことができるように（図１における矢印ｂを参照）装着部材１１０と接触部１３０とを連結している。また、連結機構２００は、接触部１３０が接触面９００に接触した状態において、接触部１３０に対する装着部材１１０の傾きやすさを調整する調整機構２５０を有する。
【００３３】
また、連結機構２００は、軸部材２１０と、コイルスプリング２２０と、ゴム部材２３０とを有し、さらには、ナット２４０と、ワッシャ２４２と、防音部材２４４とを有する。軸部材２１０は、上端部側にねじが形成された領域である上端側ねじ部２１２を有し、下端側にねじが形成された下端側ねじ部２１４を有する。軸部材２１０は、下側ねじ部２１４が支持部材１３６の内周面に形成された雌ねじに噛み合うようにして接触部１３０に対して略鉛直に固定されている。
【００３４】
ゴム部材２３０は、長手方向に（図２における上下方向に）貫くように貫通穴が形成された円筒形状を有し、貫通穴内に軸部材２１０が配置された状態となるように接触部１３０の上向きの面に載せられていて、接触部１３０の上向きの面によって重力方向下方から支えられている。ゴム部材２３０として用いる材料としては、例えば、クロロプレンゴムスポンジ、ＥＰＤＭ（エチレンプロピレンジエンゴム）スポンジ、シリコンゴムスポンジ等を用いることができる。さらには、ゴム部材２３０の材料として、ニトリルゴム（ＮＢＲ）、水素化ニトリルゴム（ＨＮＢＲ）、フッ素ゴム（ＦＫＭ、ＦＦＫＭ)、アクリルゴム（ＡＣＭ）、ウレタンゴム（ＡＵ、ＥＵ）、クロロプレンゴム（ＣＲ）、クロロスルフォン化ポリエチレン（ＣＳＭ）、エピクロルヒドリンゴム（ＣＯ、ＥＣＯ)、天然ゴム（ＮＲ）、イソプレンゴム（ＩＲ)、スチレンブタジエンゴム（ＳＢＲ）、ブタジエンゴム（ＢＲ）、多硫化ゴム（Ｔ）、ノルボルネンゴム（ＮＯＲ）、熱可塑性エラストマー（ＴＰＥ）等を用いても良い。
【００３５】
防音部材２４４は、ワッシャ２４２と略同形状のリング状の部材であり、弾性体から形成されていて、例えばゴム部材２３０と同じ材料で形成されている。
【００３６】
コイルスプリング２２０は、その内側にゴム部材２３０が配置された状態となるように、接触部１３０の上向きの面に載せられていて、接触部１３０の上向きの面によって重力方向下方から支えられている。
【００３７】
ゴム部材２３０及びコイルスプリング２２０には、重力方向上方から装着部材１１０が載せられる。そして、ゴム部材２３０及びコイルスプリング２２０は、装着部材１１０に形成された貫通穴１１２の挿入位置１１６の上端部における水平な壁部に接触するようにして、装着部材１１０を重力方向における下側から支持している。この状態において、ゴム部材２３０及びコイルスプリング２２０は、その一部分が貫通穴１１２の挿入位置１１６内に挿入された状態となる。
【００３８】
軸部材２１０の貫通穴１１２における装着位置１１４へと突出した部分には、ワッシャ２４２が装着され、ワッシャ２４２に上側から重ねるように防音部材２４４が装着されている。そして、軸部材２１０の上端側ねじ部２１２には、例えば１つのナット２４０がワッシャ２４２及び防音部材２４４の上側に位置した状態となるように装着されている。ナット２４０は、上端側ねじ部２１２装着された状態において、貫通穴１１２の装着位置１１４の下端部近傍に配置された状態となる。
【００３９】
ナット２４０を回転させて、ナット２４０を上側ねじ部２１２に案内されるように下方に移動させると、ナット２４０は、防音部材２４４及びワッシャ２４２を介して装着部材１１０を下向きに押圧する。そして、ナット２４０によって装着部材１１０が下側に押圧されることで、装着部材１１０はゴム部材２３０の上側の面と、コイルスプリング２２０を構成する巻線の最も上側に位置する部分とに対して押し付けられる。
【００４０】
以上のように、連結機構２００は、接触部１３０によって重力方向下側から支えられているゴム部材２３０とコイルスプリング２２０とで、装着部材１１０を重力方向下側から支えるようにして、装着部材１１０と接触部１３０とを連結している。
【００４１】
調整機構２５０は、軸部材２１０の上端側ねじ部２１２とナット２４０とからなる。調整機構２５０の詳細は後述する。
【００４２】
図３には、装着部材１１０が示されている。装着部材１１０は、少なくとも接触部１３０側が弾性体からなる。また、装着部材１１０は、図３に示されている状態における下側の部分に、例えば略鉛直方向に切込１１１が形成されている。切込１１１は、例えば等間隔に形成することが望ましく、例えば１２個を形成することができる。切込１１１が形成されていることで、装着部材１１０が接触部１３０に向けて移動し装着部材１１０が接触部１３０に接触した際に、装着部材１１０が弾性変形（図４を参照）することができるようになっている。装着部材１１０の切込１１１で隔てられた各部分の下端部１１０ａは、例えば略半円形状等の曲線形状となっている。下端部１１０ａを曲線形状とすることに替えて、下端部１１０ａを例えば切込１１１と略垂直な直線形状としても良い。
【００４３】
図４には、石突１００が衝撃を吸収している状態が示されている。すなわち、図４には、矢印ａで示すように移動することで底面１０２が接触面９００に接触した際に、連結機構２００が衝撃を吸収する状態が示されている。図４に示すように、底面１０２が接触面９００に接触し、さらに矢印ａ方向に杖本体部２０が接触面９００の方向に押し付けられると、杖本体部２０、装着部材１１０、防音部材２４４及びワッシャ２４２は一体として矢印ａ方向に移動する。そして、装着部材１１０が矢印ａ方向に移動することで、コイルスプリング２２０とゴム部材２３０とが押し潰されるように弾性変形し、コイルスプリング２２０とゴム部材２３０とは変形することで衝撃を吸収する。
【００４４】
また、装着部材１１０が矢印ａ方向、即ち接触部１３０に向けて移動して、装着部材１１０の下端部１１０ａが接触部１３０に接触すると、装着部材１１０の切込１１１によって切り分けられた部分は、接触部１３０に接触し接触部１３０の外側の面に沿って移動し、広がるように弾性変形する。このため、装着部材１１０の移動距離を確保するために、装着部材１１０に切込１１１を形成しない場合と比較して、装着部材１１０と接触部１３０とを接近させて配置させることができるようになる。
【００４５】
また、先述のように接触部１３０の外側の面がなだらかなテーパー形状となっているため、例えば接触部１３０の外側の面がテーパー形状でない場合等と比較して、装着部材１１０の下端部１１０ａが接触部１３０の外側の面に沿って移動しやすい。また、先述のように、装着部材１１０の下端部１１０ａが曲線形状となっているため（図３を参照）、下端部１１０ａが直線形状である場合と比較して、装着部材１１０の下端部１１０ａが接触部１３０の外側の面に沿って移動しやすい。
【００４６】
図４に示された状態から、矢印ａ方向への杖本体部２０等を接触面９００の方向に押し付ける力が解除されると、杖本体部２０、装着部材１１０、防音部材２４４及びワッシャ２４２は一体として矢印ａ方向と逆方向に移動し、図２に示されている位置へと戻る。そして、この際、防音部材２４４の上側の面がナット２４０の下側の面に衝突する。ここで、防音部材２４４は、先述のように例えばゴム部材２３０と同じ材質のゴム等から形成されている。このため、防音部材２４４とナット２４０とが互いに衝突する際に音が発生しにくい。これに対して、防音部材２４４を設けなかった場合、装着部材１１０が図２に示される位置へと戻る際等に、一般に金属からなるワッシャ２４２と一般に金属からなるナット２４０とが衝突することになり、この衝突の際に音が発生しやすい。
【００４７】
図５には、接触部１３０に対して装着部材１１０が傾いた状態、即ち図１、図２に示されている状態から杖本体部２０を矢印ｂ方向に傾けるように移動させた状態における石突１００が示されている。図５に示されているように、杖本体部２０を傾けると、杖本体部２０と一体として装着部材１１０と、防音部材２４４と、ワッシャ２４２とも傾いた状態となる。この際、コイルスプリング２２０とゴム部材２３０とは押し潰された状態となり、図５に示す場合においては、コイルスプリング２２０とゴム部材２３０との図中右側における部分の押し潰される量が、コイルスプリング２２０とゴム部材２３０との図中左側における部分が押し潰される量よりも大きくなる。
【００４８】
図６には、調整機構２５０の機能が説明されている。調整機構２５０は、先述のように軸部材２１０の上端側ねじ部２１２とナット２４０とからなる。図６に示されているように、装着部材１１０から杖本体部２０を取り外した状態で、ナット２４０を回転させて、ナット２４０を上側ねじ部２１２に案内されるように下方に移動させると、装着部材１１０と、防音部材２４４と、ワッシャ２４２ともナット２４０と共に下方に移動する。そして、装着部材１１０等が下方に移動すると、コイルスプリング２２０とゴム部材２３０が、ナット２４０の上下方向における位置に応じて装着部材１１０と接触部１３０とによって押圧されて縮んだ状態となる。そして、コイルスプリング２２０とゴム部材２３０とが縮む量が大きくなるほど、接触部１３０に対して装着部材１１０が傾きにくくなり、同じ位置まで装着部材１１０を傾けるために加えることを要する力が大きくなる。
【００４９】
一方、装着部材１１０から杖本体部２０を取り外した状態で、ナット２４０を回転させて、ナット２４０を上側ねじ部２１２に案内されるように上方に移動させると、装着部材１１０と、防音部材２４４と、ワッシャ２４２ともコイルスプリング２２０及びゴム部材２３０に押し上げられるようにしてナット２４０と共に上方に移動する。そして、装着部材１１０等が上方に移動すると、コイルスプリング２２０とゴム部材２３０とが縮んでいる量が小さくなり、接触部１３０に対して装着部材１１０が傾きやすくなり、同じ位置まで装着部材１１０を傾けるために加えることを要する力が小さくなる。
【００５０】
図７には、石突１００の変形例が示されている。先述の本発明の実施形態に係る石突１００においては、上端側ねじ部２１２に１つのナット２４０が装着されていた（図２を参照）。これに対して、この変形例に係る石突１００では、２つのナット２４０が上端側ねじ部２１２に上下方向に重ねるように装着されている。ナット２４０は複数個が装着されれば良く、ナット２４０を２つ装着することに替えて、上端側ねじ部２１２に３こ以上のナット２４０を装着しても良い。このように、複数のナット２４０を装着しておけば、仮に複数のナット２４０のうちの１つが破損したとしても、他のナット２４０が上側ねじ部２１２に噛み合った状態が保たれ、接触部１３０等が装着部材１１０等から離間することを回避できる。変形例に係る石突１００の構成のうち、先述の本発明の実施形態に係る石突１００との同一部分については、図７に図２と同じ符号を付して、その説明を省略する。
【産業上の利用可能性】
【００５１】
以上述べたように、本発明は、石突と杖とに適用することができる。
【符号の説明】
【００５２】
１０・・・杖
２０・・・杖本体部
１００・・・石突
１０２・・・底面
１１０・・・装着部材
１１１・・・切込
１３０・・・接触部
２００・・・連結機構
２１０・・・軸部材
２１２・・・上側ねじ部
２２０・・・コイルスプリング
２３０・・・ゴム部材
２４０・・・ナット
２５０・・・調整機構
９００・・・接触面
【図１】
2015089464.tif 000003
【図２】
2015089464.tif 000004
【図３】
2015089464.tif 000005
【図４】
2015089464.tif 000006
【図５】
2015089464.tif 000007
【図６】
2015089464.tif 000008
【図７】
2015089464.tif 000009
【手続補正書】
【提出日】平成26年9月1日(2014.9.1)
【手続補正１】
【補正対象書類名】特許請求の範囲
【補正対象項目名】全文
【補正方法】変更
【補正の内容】
【特許請求の範囲】
【請求項１】
杖本体部に装着される装着部と、
接触面に接触する接触部と、
接触面に前記接触部が接触する際の衝撃を吸収するとともに、前記装着部が前記接触部に対して傾くことができるように前記装着部と前記接触部とを連結する連結機構と、
を有し、
前記連結機構は、前記接触部に対する前記装着部の傾きやすさを調整する調整機構と、前記装着部が前記接触部へと接近する方向に弾性変形可能なコイルスプリングと、前記コイルスプリングの内側に配置されたゴム部材とを有する石突。
【請求項２】
杖本体部に装着される装着部と、
接触面に接触する接触部と、
接触面に前記接触部が接触する際の衝撃を吸収するとともに、前記装着部が前記接触部に対して傾くことができるように前記装着部と前記接触部とを連結する連結機構と、
を有し、
前記連結機構は、前記接触部に対する前記装着部の傾きやすさを調整する調整機構を有し、
前記装着部は、少なくとも前記接触部側が弾性体からなり、前記接触部に向けて移動し前記接触部に接触した際に弾性変形するように切込が形成されている石突。
【請求項３】
前記装着部は、前記杖本体に対しして着脱可能である請求項１又は２記載の石突。
【請求項４】
杖本体部と、
前記杖本体部に装着される装着部と、
接触面に接触する接触部と、
接触面に前記接触部が接触する際の衝撃を吸収するとともに、前記装着部が前記接触部に対して傾くことができるように前記装着部と前記接触部とを連結する連結機構と、
を有し、
前記連結機構は、前記接触部に対する前記装着部の傾きやすさを調整する調整機構と、前記装着部が前記接触部へと接近する方向に弾性変形可能なコイルスプリングと、前記コイルスプリングの内側に配置されたゴム部材とを有する杖。
【請求項５】
杖本体部と、
前記杖本体部に装着される装着部と、
接触面に接触する接触部と、
接触面に前記接触部が接触する際の衝撃を吸収するとともに、前記装着部が前記接触部に対して傾くことができるように前記装着部と前記接触部とを連結する連結機構と、
を有し、
前記連結機構は、前記接触部に対する前記装着部の傾きやすさを調整する調整機構を有し、
前記装着部は、少なくとも前記接触部側が弾性体からなり、前記接触部に向けて移動し前記接触部に接触した際に弾性変形するように切込が形成されている杖。